(57)【要約】      （修正有）【課題】ＨＦワイヤレスシステムにおける電力管理を改善する装置を提供する。【解決手段】ワイヤレス通信のための装置は、処理システムを備える。処理システムは、第１のカバレッジエリア内での通信をサポートするように構成されている第１のワイヤレスインターフェースをオフにするように構成されている。処理システムは、第１のカバレッジエリアよりも大きい第２のカバレッジエリア内での通信をサポートするように構成されている第２のワイヤレスインターフェースを使用して、第２の装置と通信するようにさらに構成されている。処理システムは、第２の装置との通信に基づいて、第１のワイヤレスインターフェースをオンにするようにさらに構成されている。【選択図】図４Ｂ
2014017828.tif 000002
【特許請求の範囲】
【請求項１】
ワイヤレス通信のための装置において、
第１のカバレッジエリア内での通信をサポートするように構成されている第１のワイヤレスインターフェースをオフにするようにと、
前記第１のカバレッジエリアよりも大きい第２のカバレッジエリア内での通信をサポートするように構成されている第２のワイヤレスインターフェースを使用して、第２の装置と通信するようにと、
前記第２の装置との通信に基づいて、前記第１のワイヤレスインターフェースをオンにするように構成されている処理システムを具備する装置。
【請求項２】
前記第１のワイヤレスインターフェースは第１の周波数に関係付けられ、前記第２のワイヤレスは、前記第１の周波数よりも低い第２の周波数に関係付けられている請求項１記載の装置。
【請求項３】
前記処理システムは、前記第１のワイヤレスインターフェースの休止の時間期間に基づいて、前記第１のワイヤレスインターフェースをオフにするようにさらに構成されている請求項１記載の装置。
【請求項４】
前記処理システムは、前記第１のワイヤレスインターフェースをオフにするという表示を前記第２の装置に提供するようにさらに構成され、
前記処理システムは、前記表示を提供するために、前記第１のワイヤレスインターフェースまたは前記第２のワイヤレスインターフェースのうちのいずれか１つを使用するようにさらに構成されている請求項１記載の装置。
【請求項５】
前記処理システムは、前記第２の装置からデータを受信するために前記第１のワイヤレスインターフェースを使用するという表示を前記第２の装置に提供するために、または、信号受信の品質の潜在的な改善の表示を受信するために、前記第２のワイヤレスインターフェースを使用するようにさらに構成されている請求項１記載の装置。
【請求項６】
前記処理システムは、前記第１のワイヤレスインターフェースがオフにされている間、電力をセーブするために、前記第２のワイヤレスインターフェースを周期的にオフにするようにさらに構成されている請求項１記載の装置。
【請求項７】
前記処理システムは、前記第２の装置との、インバンド通信とアウトバンド通信とのうちのいずれか１つをサポートするようにさらに構成されている請求項１記載の装置。
【請求項８】
前記処理システムは、前記第１のワイヤレスインターフェースを通しての信号受信の品質に基づいて、前記第１のワイヤレスインターフェースをオフにするようにさらに構成されている請求項１記載の装置。
【請求項９】
前記処理システムは、前記第２のワイヤレスインターフェースを通しての信号受信の品質に基づいて、前記第１のワイヤレスインターフェースを通しての前記信号受信の品質を推定するようにさらに構成されている請求項８記載の装置。
【請求項１０】
前記処理システムは、前記第２のワイヤレスインターフェースを通しての前記信号受信の品質の変化を決定することによって、前記第１のワイヤレスインターフェースを通しての前記信号受信の品質を推定するようにさらに構成されている請求項９記載の装置。
【請求項１１】
前記処理システムは、前記第２のワイヤレスインターフェースを通して基準信号を前記第２の装置と交換することによって、前記第１のワイヤレスインターフェースを通しての前記信号受信の品質を推定するようにさらに構成されている請求項９記載の装置。
【請求項１２】
前記処理システムは、
前記第２のワイヤレスインターフェースを通しての信号受信に基づいて、前記第１のワイヤレスインターフェースを通しての信号受信の品質を推定するようにと、
前記推定した信号受信の品質に基づいて、前記第１のワイヤレスインターフェースをオンにするように構成されている請求項１記載の装置。
【請求項１３】
ワイヤレス通信のための方法において、
第１のカバレッジエリア内での通信をサポートするように構成されている第１のワイヤレスインターフェースをオフにすることと、
前記第１のカバレッジエリアよりも大きい第２のカバレッジエリア内での通信をサポートするように構成されている第２のワイヤレスインターフェースを使用して、装置と通信することと、
前記第２の装置との通信に基づいて、前記第１のワイヤレスインターフェースをオンにすることとを含む方法。
【請求項１４】
前記第１のワイヤレスインターフェースは第１の周波数に関係付けられ、前記第２のワイヤレスは、前記第１の周波数よりも低い第２の周波数に関係付けられている請求項１３記載の方法。
【請求項１５】
前記第１のワイヤレスインターフェースの休止の時間期間に基づいて、前記第１のワイヤレスインターフェースをオフにする請求項１３記載の方法。
【請求項１６】
前記第１のワイヤレスインターフェースをオフにするという表示を前記装置に提供することをさらに含み、
前記第１のワイヤレスインターフェースまたは前記第２のワイヤレスインターフェースのうちのいずれか１つを使用して、前記表示を提供する請求項１３記載の方法。
【請求項１７】
前記装置からデータを受信するために前記第１のワイヤレスインターフェースを使用するという表示を前記装置に提供するために、または、信号受信の品質の潜在的な改善の表示を受信するために、前記第２のワイヤレスインターフェースを使用することをさらに含む請求項１３記載の方法。
【請求項１８】
前記第１のワイヤレスインターフェースがオフにされている間、電力をセーブするために、前記第２のワイヤレスインターフェースを周期的にオフにすることをさらに含む請求項１３記載の方法。
【請求項１９】
前記装置との、インバンド通信とアウトバンド通信とのうちのいずれか１つをサポートすることをさらに含む請求項１３記載の方法。
【請求項２０】
前記第１のワイヤレスインターフェースを通しての信号受信の品質に基づいて、前記第１のワイヤレスインターフェースをオフにする請求項１３記載の方法。
【請求項２１】
前記第２のワイヤレスインターフェースを通しての信号受信の品質に基づいて、前記第１のワイヤレスインターフェースを通しての前記信号受信の品質を推定することをさらに含む請求項２０記載の方法。
【請求項２２】
前記第２のワイヤレスインターフェースを通しての前記信号受信の品質の変化を決定することによって、前記第１のワイヤレスインターフェースを通しての前記信号受信の品質を推定する請求項２１記載の方法。
【請求項２３】
前記第２のワイヤレスインターフェースを通して基準信号を前記第２の装置と交換することによって、前記第１のワイヤレスインターフェースを通しての前記信号受信の品質を推定する請求項２１記載の方法。
【請求項２４】
前記第２のワイヤレスインターフェースを通しての信号受信に基づいて、前記第１のワイヤレスインターフェースを通しての信号受信の品質を推定することをさらに含み、
前記第１のワイヤレスインターフェースをオンにすることは、前記推定した信号受信の品質に基づいている請求項１３記載の方法。
【請求項２５】
ワイヤレス通信のための装置において、
第１のカバレッジエリア内での通信をサポートするように構成されている第１のワイヤレスインターフェースをオフにする手段と、
前記第１のカバレッジエリアよりも大きい第２のカバレッジエリア内での通信をサポートするように構成されている第２のワイヤレスインターフェースを使用して、第２の装置と通信する手段と、
前記第２の装置との通信に基づいて、前記第１のワイヤレスインターフェースをオンにする手段とを具備する装置。
【請求項２６】
前記第１のワイヤレスインターフェースは第１の周波数に関係付けられ、前記第２のワイヤレスは、前記第１の周波数よりも低い第２の周波数に関係付けられている請求項２５記載の装置。
【請求項２７】
前記第１のワイヤレスインターフェースの休止の時間期間に基づいて、前記第１のワイヤレスインターフェースをオフにする請求項２５記載の装置。
【請求項２８】
前記第１のワイヤレスインターフェースをオフにするという表示を前記装置に提供する手段をさらに具備し、
前記第１のワイヤレスインターフェースまたは前記第２のワイヤレスインターフェースのうちのいずれか１つを使用して、前記表示を提供する請求項２５記載の装置。
【請求項２９】
前記装置からデータを受信するために前記第１のワイヤレスインターフェースを使用するという表示を前記装置に提供するために、または、信号受信の品質の潜在的な改善の表示を受信するために、前記第２のワイヤレスインターフェースを使用する手段をさらに具備する請求項２５記載の装置。
【請求項３０】
前記第１のワイヤレスインターフェースがオフにされている間、電力をセーブするために、前記第２のワイヤレスインターフェースを周期的にオフにする手段をさらに具備する請求項２５記載の装置。
【請求項３１】
前記装置との、インバンド通信とアウトバンド通信とのうちのいずれか１つをサポートする手段をさらに具備する請求項２５記載の装置。
【請求項３２】
前記第１のワイヤレスインターフェースを通しての信号受信の品質に基づいて、前記第１のワイヤレスインターフェースをオフにする請求項２５記載の装置。
【請求項３３】
前記第２のワイヤレスインターフェースを通しての信号受信の品質に基づいて、前記第１のワイヤレスインターフェースを通しての前記信号受信の品質を推定する手段をさらに具備する請求項３２記載の装置。
【請求項３４】
前記第２のワイヤレスインターフェースを通しての前記信号受信の品質の変化を決定することによって、前記第１のワイヤレスインターフェースを通しての前記信号受信の品質を推定する請求項３３記載の装置。
【請求項３５】
前記第２のワイヤレスインターフェースを通して基準信号を前記第２の装置と交換することによって、前記第１のワイヤレスインターフェースを通しての前記信号受信の品質を推定する請求項３３記載の装置。
【請求項３６】
前記第２のワイヤレスインターフェースを通しての信号受信に基づいて、前記第１のワイヤレスインターフェースを通しての信号受信の品質を推定する手段をさらに具備し、
前記第１のワイヤレスインターフェースをオンにする手段は、前記推定した信号受信の品質に基づいて、前記第１のワイヤレスインターフェースをオンにする請求項２５記載の装置。
【請求項３７】
通信のためのコンピュータプログラムプロダクトにおいて、
第１のカバレッジエリア内での通信をサポートするように構成されている第１のワイヤレスインターフェースをオフにするために実行可能な命令と、
前記第１のカバレッジエリアよりも大きい第２のカバレッジエリア内での通信をサポートするように構成されている第２のワイヤレスインターフェースを使用して、第２の装置と通信するために実行可能な命令と、
前記第２の装置との通信に基づいて、前記第１のワイヤレスインターフェースをオンにするために実行可能な命令とを含む機械読み取り可能媒体を具備するコンピュータプログラムプロダクト。
【請求項３８】
アクセスポイントにおいて、
１つ以上のアンテナと、
前記１つ以上のアンテナのうちの少なくとも１つを通して、第１のカバレッジエリア内での通信をサポートするように構成されている第１のワイヤレスインターフェースと、
前記１つ以上のアンテナのうちの少なくとも１つを通して、前記第１のカバレッジエリアよりも大きい第２のカバレッジエリア内での通信をサポートするように構成されている第２のワイヤレスインターフェースと、
前記第１のワイヤレスインターフェースをオフにするようにと、
前記第２のワイヤレスインターフェースを使用して、第２の装置と通信するようにと、
前記第２の装置との通信に基づいて、前記第１のワイヤレスインターフェースをオンにするように構成されている処理システムとを具備するアクセスポイント。
【請求項３９】
局において、
第１のカバレッジエリア内での通信をサポートするように構成されている第１のワイヤレスインターフェースと、
前記第１のカバレッジエリアよりも大きい第２のカバレッジエリア内での通信をサポートするように構成されている第２のワイヤレスインターフェースと、
ユーザインターフェースと、
前記第１のワイヤレスインターフェースをオフにするようにと、
前記ユーザインターフェースからの入力に基づいて、前記第２のワイヤレスインターフェースを使用して第２の装置と通信するようにと、
前記第２の装置との通信に基づいて、前記第１のワイヤレスインターフェースをオンにするように構成されている処理システムとを具備する局。
【発明の詳細な説明】
【関連出願に対する相互参照】
【０００１】
３５ Ｕ．Ｓ．Ｃ．１１９条にしたがって、本願は、２００９年６月２６日に出願された、米国仮出願シリアル番号第６１／２２０，８００号の利益を主張する。この出願の内容は、参照によりここにすべて組み込まれている。
【背景】
【０００２】
分野
以下の記述は、一般的に、通信システムに関する。さらに詳細には、電力管理に関する。
【０００３】
背景
６０ＧＨｚデバイス、特にハンドセットのような高周波数（ＨＦ）ワイヤレスシステムの主な応用のうちの１つは、非常に大きいファイルの迅速な転送である。このような通信シナリオにおけるトラフィックは、短いが大量のバーストで送信される。送信の間、データ休止の期間は大抵長く、この間、ハンドセット上のＨＦ無線機は、スリープ／電力セーブモードに入るかもしれない。
【０００４】
従来の電力セーブモードインプリメンテーションでは、ＨＦ無線機は、何らかの到来データを見逃さないようにビーコンを聞くために、短い時間期間の間、周期的に起動する。高いバーストトラフィックでは、休止の時間期間の間のこれらの周期的な起動に費やされるエネルギーが、消費される総エネルギーの大部分を占める可能性がある。
【０００５】
加えて、ＨＦチャネルにおけるより高いパス損失により、デバイスは、長期間の間、（例えば、シャドーイングによる）信号損失を受けることがある。この間、ＨＦリンクを通してのアクセスポイント（ＡＰ）への接続が失われることがある。信号の利用可能性を監視するために周期的に起動することは、大量のエネルギーを消費させる可能性がある。
【０００６】
したがって、ＨＦワイヤレスシステムにおける電力管理を改善する必要がある。
【概要】
【０００７】
開示の態様では、ワイヤレス通信のための装置は、処理システムを備えている。処理システムは、第１のカバレッジエリア内での通信をサポートするように構成されている第１のワイヤレスインターフェースをオフにするように構成されている。処理システムは、第１のカバレッジエリアよりも大きい第２のカバレッジエリア内での通信をサポートするように構成されている第２のワイヤレスインターフェースを使用して、第２の装置と通信するようにさらに構成されている。処理システムは、第２の装置との通信に基づいて、第１のワイヤレスインターフェースをオンにするようにさらに構成されている。
【０００８】
開示の態様では、ワイヤレス通信のための方法を提供する。この方法では、第１のカバレッジエリア内での通信をサポートするように構成されている第１のワイヤレスインターフェースをオフにする。第２のワイヤレスインターフェースを使用して、装置と通信する。第２のワイヤレスインターフェースは、第１のカバレッジエリアよりも大きい第２のカバレッジエリア内での通信をサポートするように構成されている。第１のワイヤレスインターフェースを、第２の装置との通信に基づいてオンにする。
【０００９】
開示の態様では、アクセスポイントは、１つ以上のアンテナと、第１のワイヤレスインターフェースと、第２のワイヤレスインターフェースと、処理システムとを備えている。第１のワイヤレスインターフェースは、１つ以上のアンテナのうちの少なくとも１つを通して第１のカバレッジエリア内での通信をサポートするように構成されている。第２のワイヤレスインターフェースは、１つ以上のアンテナのうちの少なくとも１つを通して、第２のカバレッジエリア内での通信をサポートするように構成されている。第２のカバレッジエリアは、第１のカバレッジエリアよりも大きい。処理システムは、第１のワイヤレスインターフェースをオフにするように構成されている。処理システムは、第２のワイヤレスインターフェースを使用して、第２の装置と通信するようにさらに構成されている。処理システムは、第２の装置との通信に基づいて、第１のワイヤレスインターフェースをオンにするようにさらに構成されている。
【００１０】
開示の態様では、局は、第１のワイヤレスインターフェースと、第２のワイヤレスインターフェースと、ユーザインターフェースと、処理システムとを備えている。第１のワイヤレスインターフェースは、第１のカバレッジエリア内での通信をサポートするように構成されている。第２のワイヤレスインターフェースは、第１のカバレッジエリアよりも大きい第２のカバレッジエリア内での通信をサポートするように構成されている。処理システムは、第１のワイヤレスインターフェースをオフにするように構成されている。処理システムは、第２のワイヤレスインターフェースを使用して第２の装置と通信するようにさらに構成されている。通信は、ユーザインターフェースからの入力に基づいている。処理システムは、第２の装置との通信に基づいて、第１のワイヤレスインターフェースをオンにするようにさらに構成されている。
【図面の簡単な説明】
【００１１】
【図１】図１は、例示的な装置のハードウェア構成を図示している概念的なブロックダイアグラムである。
【図２】図２は、トラフィックアクティビティに基づいて、長期電力セービングモードに入ったり出たりするためのフローチャートである。
【図３】図３は、受信した信号強度に基づいて、長期電力セービングモードに入ったり出たりするためのフローチャートである。
【図４Ａ】図４Ａは、通信している２つの装置の概念的なダイアグラムである。
【図４Ｂ】図４Ｂは、通信している２つの装置の別の概念的なダイアグラムである。
【図５】図５は、例示的な装置の機能性を図示している概念的なブロックダイアグラムである。
【詳細な説明】
【００１２】
以下で、添付図面を参照して、新規なシステム、装置、および方法のさまざまな態様をより完全に記述する。しかしながら、教示している開示は、多くの異なる形態で具現化してもよく、本開示全体を通して提示した任意の特定の構成または機能に限定されるものとして解釈すべきではない。むしろ、本開示が十分で完全となり、開示の範囲を当業者に完全に伝えるように、これらの態様を提供している。発明の他の何らかの態様とは無関係に実現しようとなかろうと、または、発明の他の何らかの態様と組み合わせて実現しようとしなかろうと、開示の範囲が、ここで開示した、新規なシステム、装置、および方法の任意の態様をカバーすることを意図していることを、ここでの教示に基づいて当業者は正しく認識すべきである。例えば、ここで述べた任意の数の態様を使用して、装置を実現してもよく、または、方法を実施してもよい。加えて、ここで述べた発明のさまざまな態様に加えた、または、ここで述べた発明のさまざまな態様以外の、他の構成、機能性、または、構成および機能性を使用して実施するこのような装置または方法をカバーすることを、発明の範囲は意図している。ここで開示した任意の態様は、請求項の１つ以上の要素によって具現化してもよいことを理解すべきである。
【００１３】
本発明のさまざまな態様を組み込むのに適した装置の例は、アクセスポイント（ＡＰ）と、ワイヤレスネットワーク中で動作できる局（ＳＴＡ）とを含むが、これらに限定されない。ワイヤレスネットワークは、直交周波数分割多重化（ＯＦＤＭ）のような任意の適したワイヤレス技術をサポートする複数入力複数出力（ＭＩＭＯ）技術を用いて、ＡＰとＳＴＡとをサポートするように構成してもよい。ＯＦＤＭシステムは、ＩＥＥＥ８０２．１１または他の何らかのエアインターフェース標準規格を実現してもよい。他の適したワイヤレス技術は、例として、コード分割多元接続（ＣＤＭＡ）、時分割多元接続（ＴＤＭＡ）、または他の何らかの適したワイヤレス技術、または適したワイヤレス技術の任意のものを組み合わせたものを含む。ＣＤＭＡシステムは、ＩＳ−２０００、ＩＳ−９５、ＩＳ−８５６、ワイドバンド−ＣＤＭＡ（ＷＣＤＭＡ(登録商標)）、または他の何らかの適したエアインターフェース標準規格を実現してもよい。ＴＤＭＡシステムは、グローバルシステムフォーモバイル通信（ＧＳＭ）（登録商標）または他の何らかの適したエアインターフェース標準規格を実現してもよい。当業者が容易に正しく認識するように、本開示のさまざまな態様は、任意の特定のワイヤレス技術および／またはエアインターフェース標準規格に限定されない。本開示全体を通して提示したさまざまな概念は、ウルトラワイドバンド（ＵＷＢ）のような短距離無線技術、または、ブルートゥース（登録商標）のような他の何らかの短距離エアインターフェース標準規格にも拡張してもよい。任意の特定のネットワークに用いる実際のワイヤレス技術およびエアインターフェース標準規格は、システムに課せられている、特定のアプリケーションおよび設計制約全体に依存するだろう。本開示全体を通して提示したさまざまな概念は、他のワイヤレス技術および／またはエアインターフェース標準規格を用いるワイヤレスネットワークに等しく適用可能である。
【００１４】
ワイヤレスネットワークは、ＳＴＡに対するカバレッジを提供する地理領域全体に分散されている任意の数のＡＰをサポートしてもよい。ＡＰは、一般的に、カバレッジの地理的領域中のＳＴＡにバックホールサービスを提供する固定端末である。しかしながら、いくつかの応用において、ＡＰは、移動体であってもよい。固定または移動体であり得るＳＴＡは、ＡＰのバックホールサービスを利用する、または、他のＳＴＡとのピアツーピア通信に携わる。ＳＴＡの例は、移動体電話機、ラップトップコンピュータ、パーソナルデジタルアシスタント（ＰＤＡ）、移動体デジタルオーディオプレイヤー、移動体ゲームコンソール、デジタルカメラ、デジタルカムコーダ、移動体オーディオデバイス、移動体ビデオデバイス、移動体マルチメディアデバイス、またはワイヤレス通信をサポートすることができる他の何らかの適したデバイスを含む。
【００１５】
当業者によって、ＡＰまたはＳＴＡは、異なる術語で言及されることがある。例として、ＡＰは、基地局、基地トランシーバ局、ワイヤレスデバイス、端末、ノードと呼ばれることがあり、または、他の何らかの適した専門用語で呼ばれることがある。同様に、ＳＴＡは、ユーザ端末、移動局、加入者局、ワイヤレスデバイス、端末、アクセス端末、ノードと呼ばれることがあり、または、他の何らかの適した専門用語で呼ばれることがある。本開示全体を通して記述したさまざまな概念は、これらの特定の術語にもかかわらず、すべての適した装置に適用することを意図している。
【００１６】
これから、図１を参照して装置のさまざまな態様を提示する。図１は、装置のハードウェア構成を図示している概念的なブロックダイアグラムである。装置１００は、処理システム１０２と、第１のワイヤレスインターフェース１０４と、第２のワイヤレスインターフェース１０６とを備えている。
【００１７】
１つの構成では、第１のワイヤレスインターフェース１０４は、より高い周波数通信をサポートするためのＨＦ無線機を備えており、第２のワイヤレスインターフェース１０６は、より低い周波数通信をサポートするためのより低い周波数（ＬＦ）無線機を備えている。ＬＦ無線機は、レガシーＩＥＥＥ８０２．１１（例えば、２．４ＧＨｚ帯域または５ＧＨｚ帯域におけるＷｉＦｉ（登録商標）システム）、ブルートゥース、セルラシステム、または他の何らかの適したエアインターフェースプロトコルをサポートしてもよい。ＨＦ無線機は、ＩＥＥＥ８０２．１ｌａｄ（極度に高いスループット）をサポートするために、６０ＧＨｚＨＦ無線機であってもよい。１つの構成では、より頻繁であるが、より広いカバレッジ／範囲を持つ、より低いスループット通信に対してはＬＦ無線機を使用するが、時折の、より短い距離を持つ、非常に高いスループットのファイル転送に対してはＨＦ無線機を使用する。
【００１８】
それぞれのワイヤレスインターフェース１０４、１０６は、ワイヤレス信号を変調し、他の無線周波数（ＲＦ）フロントエンド処理を実行することによって、物理レイヤを実現するようにも構成してもよい。代替的に、物理レイヤ処理機能は、処理システム１０２によって実行してもよい。
【００１９】
第１および第２のワイヤレスインターフェース１０４、１０６を、別個のエンティティとして示している。しかしながら、当業者は、第１および第２のワイヤレスインターフェース１０４、１０６を単一のエンティティの中に組み込んでもよいことを容易に正しく認識するであろう。代替的に、第１および第２のワイヤレスインターフェース１０４、１０６、または、これらの任意の部分は、処理システム１０２の中に組み込んでもよく、あるいは、装置１００内の複数のエンティティにわたって分散させてもよい。
【００２０】
処理システム１０２は、１つ以上のプロセッサで実現してもよい。１つ以上のプロセッサは、汎用マイクロプロセッサ、マイクロ制御装置、デジタルシグナルプロセッサ（ＤＳＰ）、フィールドプログラマブルゲートアレイ（ＦＰＧＡ）、プログラマブルロジックデバイス（ＰＬＤ）、制御装置、状態機械、ゲート論理、ディスクリートハードウェアコンポーネント、あるいは、情報の計算または情報の他の操作を実行することができる他の何らかの適したエンティティのうちの任意のものを組み合わせたもので実現してもよい。
【００２１】
処理システム１０２は、ソフトウェアを記憶するための機械読み取り可能媒体も含んでいてもよい。ソフトウェア、ファームウェア、ミドルウェア、マイクロコード、ハードウェア記述言語と呼ばれようと呼ばれなかろうと、またはその他のもので呼ばれようと呼ばれなかろうと、ソフトウェアは、任意のタイプの命令を意味すると広く解釈すべきである。命令は、（例えば、ソースコードフォーマット、バイナリコードフォーマット、実行可能なコードフォーマット、または他の何らかの適した、コードのフォーマット）のコードを含んでいてもよい。命令は、１つ以上のプロセッサによって実行されるときに、以下で記述したさまざまな機能とともに、他のプロトコル処理機能（例えば、データリンクレイヤ処理）を処理システム１０２に実行させる。
【００２２】
機械読み取り可能媒体は、プロセッサのうちの１つ以上のものに組み込まれている記憶装置を備えていてもよい。機械読み取り可能媒体は、ランダムアクセスメモリ（ＲＡＭ）、フラッシュメモリ、リードオンリーメモリ（ＲＯＭ）、プログラマブルリードオンリーメモリ（ＰＲＯＭ）、消去可能なＰＲＯＭ（ＥＰＲＯＭ）、レジスタ、ハードディスク、リムーバルディスク、ＣＤ−ＲＯＭ、ＤＶＤ、または他の何らかの適した記憶デバイスのような、１つ以上のプロセッサの外部の記憶装置も含んでいてもよい。加えて、機械読み取り可能媒体は、伝送回線、または、データ信号をエンコードする搬送波を含んでいてもよい。処理システムの記述した機能性をどのように実現するのが最良であるかを、当業者は認識するだろう。
【００２３】
装置の１つの構成では、ＬＦ無線機（すなわち、第２のワイヤレスインターフェース１０６）を使用して、ＨＦ無線機（すなわち、第１のワイヤレスインターフェース）に対する到来トラフィックが存在するか否かを第２の装置に報知してもよい。より詳細には、ＨＦ無線機が電力セーブモードにある間、ＨＦ無線機は、完全にオフにされてもよく、または、ＬＦ無線機によって実行できない管理タスクを実行するために、ほんの時折、起動させてもよい。いったん、ＨＦ無線機を通して宛先の装置に転送するデータを発信元の装置が持つと、発信元の装置は、そのＨＦ無線機をオンにするようにＬＦ無線機を通して宛先の装置に通知して、フレームタイミングや、ＨＦチャネルや、スケジューリング情報のようなＨＦブートストラップ情報を提供する。
【００２４】
類似したメカニズムでは、長期間の間、デュアルバンド装置（例えば、ＳＴＡ）が、非常に低いＨＦ信号強度を受けた場合、デュアルバンド装置は、そのＨＦ無線機を完全にオフにして、ＬＦ無線機を通してのすべての通信を実行してもよい。いったん、装置が、第２の装置（例えば、ＡＰ）のＨＦ無線機の範囲内に存在すると、ＨＦ無線機のチャネル品質を推定するために、そして、起動するようにＨＦ無線機に報知するために、装置はＬＦ無線機を使用してもよい。
【００２５】
ＳＴＡのＨＦ無線機に対して、２つの電力セーブモード：（１）短期電力セーブ（ＳＴＰＳ）モードと、（２）長期電力セーブ（ＬＴＰＳ）モードとを規定してもよい。ＳＴＰＳモードの間、ＳＴＡは、ＨＦビーコンを聞くために、そして、ＡＰとのその同期を維持するために、そのＨＦ無線機を周期的にオンにする。ＳＴＡおよびＡＰの両方が、互換性のあるＬＦ無線機とＨＦ無線機とを持っているときには、ＬＴＰＳモードを使用してもよい。ＬＴＰＳモードの間、ＨＦ無線機はオフにされる。オプション的に、ＳＴＡは、ＡＰとの、その同期および／またはその関係を失う。
【００２６】
ＡＰとＳＴＡとの間で、ＬＴＰＳモードのサポートがネゴシエートされ、（例えば、能力ＩＥにおける）マネジメントフレームの間にアナウンスされる。ＨＦ無線機がＬＴＰＳモードにある時間の間、対応するリンクアクティビティに依存して、ＬＦ無線機は、ＳＴＰＳモードに入ったり出たりしてもよい。
【００２７】
ＨＦ無線機の電力管理に関する、ＬＦ無線機間の通信は、（例えば、ＭＡＣヘッダ中のフィールドを使用している）インバンドであっても、または（例えば、明示的メッセージを使用している）アウトバンドであってもよい。インバンド通信の利点は、インバンド通信は低いオーバーヘッドを有することである。アウトバンド通信の利点は、レガシーデバイスのソフトウェアのアップグレードの際に、メッセージをデコードできることである。
【００２８】
ＳＴＡは、トラフィックアクティビティおよび／または信号強度に基づいて、ＬＴＰＳモードに入っても、または、出てもよい。図２は、トラフィックアクティビティに基づいて、ＬＴＰＳモードに入ったり出たりするためのフローチャートである。図３は、受信した信号強度に基づいて、ＬＴＰＳモードに入ったり出たりするためのフローチャートである。
【００２９】
第１の構成では、短い休止の時間の間、ＳＴＡのＨＦ無線機が、ＳＴＰＳモードに入ってもよい（２００）。いったん、ＳＴＡがＳＴＰＳモードに入ると、ＬＴＰＳモードに入るためのカウントダウンで、（インプリメンテーション依存であり得る）待機時間が始まる。このカウントダウン期間の間に到来トラフィックが検出されなかった場合、ＨＦ無線機は、ＬＴＰＳモードに入り、オフにされる（２０２）。ＨＦ無線機を通して送信される大量の送出データをＳＴＡが持っている場合、ＳＴＡは、そのＨＦ無線機をオンにし、これにより、ＬＴＰＳモードを出るだろう（２０４）。ＨＦ無線機を通して受信することになる大量の到来データをＳＴＡが持っている場合、発信元のＳＴＡは、トラフィックについての情報をＭＡＣデータユニット中に挿入し、ＬＦ無線機を通して、トラフィックについての情報を、（ＬＴＰＳモードにある）受信ＳＴＡに送る。いったん、ＳＴＡが、到来リンクについての情報をデコードすると、到来トラフィックを受信する準備を行うために、ＳＴＡは、ＨＦ無線機をオンにする（２０６）。ＳＴＡが同期されていない場合、ＳＴＡは、同期化ビーコンを聞くことによって、ＨＦネットワークと同期する。
【００３０】
第２の構成では、ビーコンメッセージをデコードするのに必要とされるよりも、受信した信号強度が低い場合、ＳＴＡのＨＦ無線機は、ＳＴＰＳモードに入ってもよい（３００）。いったん、ＳＴＡがＳＴＰＳモードに入ると、（インプリメンテーション依存であり得る）待機時間が開始し、スリープモードに入るためにカウンドダウンする。このカウントダウン期間の間、ビーコンをデコードするのに必要な最小値に、受信した信号強度が到達しなかった場合、ＨＦ無線機は、ＬＴＰＳモードに入り、オフにされる（３０２）。ＨＦ無線機がＬＴＰＳモードにある間、ＳＴＡは、ＬＦ無線機を通して、ＨＦチャネルの予期される信号強度を周期的に推定する（３０４）。ＬＦパス損失を測定し、パス損失の式を使用して、推定したパス損失を予測されるＨＦパス損失に変換することによって、および、周波数や、アンテナ利得や、方向等のような、ＬＦリンクとＨＦリンクとの間の相違点を考慮することとによって、信号強度を推定することを実行することができる。推定したＨＦ信号強度が、ＨＦビーコンをデコードするのに十分になるか否かを、しきい値を使用して決める。これらの推定値は、近似であるので、ＨＦ通信の機会を逃さないように、マージンを、推定した信号強度に加算してもよい。可能であるならば、ＨＦチャネル状態をよりよく推定するために、類似した送信モードを通して、例えば、類似したアンテナパターンを使用して送信することになるいくつかのパイロットを、２つのＬＦ無線機がアレンジする。推定したＨＦ信号強度がしきい値に到達した場合、ネットワークとの通信の準備を行うために、ＳＴＡはＨＦ無線機をオンにする（３０６）。ＳＴＡが同期されていない場合、ＳＴＡは、同期化ビーコンを聞くことによって、ＨＦネットワークと同期する。
【００３１】
トラフィックと信号強度との両方のものに基づいて、電力管理モードを制御するために、上記の２つのプロトコルを組み合わせたものを使用してもよい。１つの構成では、ＨＦ無線機をオフにする手段と、ＬＦ無線機を使用して第２の装置と通信する手段と、通信に基づいてＨＦ無線機をオンにする手段が、処理システム１０２である。
【００３２】
図４Ａおよび図４Ｂは、通信している２つの装置４００、４０３の概念的なダイアグラムである。図４Ａ中に図示されているように、装置４００、４０３は、装置４００の第１のワイヤレスインターフェース１０４の範囲４０１内に存在している。図４Ｂ中に図示されているように、装置４０３は、装置４００の第１のワイヤレスインターフェース１０４の範囲４０１外に存在しているが、装置４００、４０３は、装置４００の第２のワイヤレスインターフェース１０６の範囲４０２内に存在している。先に説明したように、第１のワイヤレスインターフェース１０４は、ＨＦ無線機を通しての、より短い距離のＨＦ通信をサポートしてもよく、第２のワイヤレスインターフェース１０６は、ＬＦ無線機を通しての、より長い距離のＬＦ通信をサポートしてもよい。１つの構成では、装置４００が、ＨＦ無線機をオフにし、ＬＦ無線機を使用して、装置４０３と通信し、通信に基づいてＨＦ無線機をオンにする。装置４００は、ＨＦ無線機の休止の時間期間により、ＨＦ無線機をオフにしてもよい。代替的に、または、加えて、図２Ｂ中に図示されているように、装置４００が装置４０３のＨＦ範囲４０１の外に存在していることを示す、低い信号強度または信号品質により、装置４００はＨＦ無線機をオフにしてもよい。
【００３３】
装置４００が、装置４０３からの信号品質に基づいてＨＦ無線機をオフにするときに、装置４００は、ＬＦ無線機を通しての信号品質に基づいて、ＨＦ無線機を通しての潜在的な信号品質を推定してもよい。装置４００は、ＬＦ無線機を通しての品質の変化を決定することによって信号品質を推定してもよい。代替的に、装置２００は、ＬＦ無線機を通して基準信号を装置４００と交換することによって、信号品質を推定してもよい。いったん、ＨＦ無線機を通しての信号品質が十分であるだろうと装置４００が決定すると、ＨＦ無線機を通して受信することになるデータが存在する場合、装置４００は、ＨＦ無線機をオンにしてもよい。
【００３４】
装置４００は、装置４００のＨＦ無線機がいつオフにされるかを装置４０３に報知するように構成されている。装置４００は、ＨＦ無線機またはＬＦ無線機のいずれかを通して装置４０３に報知してもよい。通信のためにＨＦ無線機を使用すべきであると装置４００が決定したとき、装置４００は、ＨＦ無線機をオンにし、装置４０３からのデータを受信するために装置４００のＨＦ無線機を使用することになることを装置４０３に報知してもよい。装置４００のＬＦ無線機を通しての装置４０３との通信は、ＨＦ無線機を通しての信号品質の潜在的な改善を装置４００に対して示してもよく、このことは、ＨＦ無線機をオンにするように装置４００を仕向けて、ＨＦ無線機を通しての通信を要求するかもしれない。
【００３５】
ＨＦ無線機がＬＴＰＳモードにある間、ＨＦ無線機がオフにされている間に電力をセーブするために、ＬＦ無線機を周期的にオフにすることによって、装置４００は、ＬＦ無線機をＳＴＰＳモードにしてもよい。
【００３６】
図５は、例示的な装置の機能性を図示している概念的なブロックダイアグラムである。装置は、第１のカバレッジエリア内での通信をサポートするように構成されている第１のワイヤレスインターフェースをオフにするモジュール５０２と、第１のカバレッジエリア中での通信をサポートするように構成されている第１のワイヤレスインターフェースを使用して、または、第１のカバレッジエリアよりも大きい第２のカバレッジエリア内での通信をサポートするように構成されている第２のワイヤレスインターフェースを使用して、第２の装置と通信するモジュール５０４と、第２の装置との通信に基づいて、第１のワイヤレスインターフェースをオンにするモジュール５０６とを備えている。
【００３７】
先の説明は、当業者が開示の全範囲を完全に理解できるように提供されている。ここで開示したさまざまな構成に対する改良は、当業者に容易に明らかになるであろう。したがって、特許請求の範囲は、ここで記述した開示のさまざまな態様に限定されることを意図しているものではなく、特許請求の範囲の文言と矛盾しない全範囲に一致させるべきである。要素への単数での参照は、単数であると特に述べられていない限り、「１つおよび１つのみ」を意味することを意図しているのではなく、むしろ「１つ以上の」を意味することを意図している。特に述べられていない限り、「いくつかの」という用語は、１つ以上のことを意味する。当業者に知られ、または後に知られることになる本開示全体に記述されているさまざまな態様の要素のすべての構成的および機能的な均等物は、ここで参照により明確に組み込まれ、特許請求の範囲によって含まれることとを意図している。さらに、ここで開示したものが、特許請求の範囲中に明示的に列挙されているか否かにかかわらず、公共に捧げられることを意図していない。どの請求項の要素も、要素が「する手段」というフレーズを用いて明示的に列挙されない限り、または方法の請求項のケースでは、要素が「するステップ」というフレーズを用いて列挙されない限り、３５ Ｕ．Ｓ．Ｃ．１１２条第６パラグラフの規定のもとで解釈されるべきではない。
【図１】
2014017828.tif 000003
【図２】
2014017828.tif 000004
【図３】
2014017828.tif 000005
【図４Ａ】
2014017828.tif 000006
【図４Ｂ】
2014017828.tif 000007
【図５】
2014017828.tif 000008
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
ワイヤレス通信のための装置において、
第１のカバレッジエリア内での通信をサポートするように構成されている第１のワイヤレスインターフェースを、第１の電力セーブモードに入れるようにと、
前記第１のカバレッジエリアよりも大きい第２のカバレッジエリア内での通信をサポートするように構成されている第２のワイヤレスインターフェースを使用して、他の装置と通信するようにと、
前記他の装置との通信に基づいて、前記第１の電力セーブモードから出すようにと、
前記第１のワイヤレスインターフェースの休止の時間期間に基づいて、前記第１の電力セーブモードに入れるようにと、
前記第１の電力セーブモードに入れるという表示を前記他の装置に提供するように構成されている処理システムを具備し、
前記第１のまたは前記第２のワイヤレスインターフェースのうちのいずれか１つを使用して、前記表示を提供する装置。
【請求項２】
前記第１のワイヤレスインターフェースは第１の周波数に関係付けられ、前記第２のワイヤレスインターフェースは、前記第１の周波数よりも低い第２の周波数に関係付けられている請求項１記載の装置。
【請求項３】
前記処理システムは、前記他の装置からデータを受信するために前記第１のワイヤレスインターフェースを使用するという表示を前記他の装置に提供するために、または、信号受信の品質の潜在的な改善の表示を受信するために、前記第２のワイヤレスインターフェースを使用するようにさらに構成されている請求項１記載の装置。
【請求項４】
前記処理システムは、前記第１のワイヤレスインターフェースが前記第１の電力セーブモードにある間、電力をセーブするために、前記第２のワイヤレスインターフェースを周期的に第２の電力セーブモードに入れるようにさらに構成されている請求項１記載の装置。
【請求項５】
前記処理システムは、前記他の装置との、インバンド通信とアウトバンド通信とのうちのいずれか１つをサポートするようにさらに構成されている請求項１記載の装置。
【請求項６】
前記処理システムは、前記第１のワイヤレスインターフェースを通しての信号受信の品質に基づいて、前記第１の電力セーブモードに入れるようにさらに構成されている請求項１記載の装置。
【請求項７】
前記処理システムは、前記第２のワイヤレスインターフェースを通しての信号受信の品質に基づいて、前記第１のワイヤレスインターフェースを通しての前記信号受信の品質を推定するようにさらに構成されている請求項６記載の装置。
【請求項８】
前記処理システムは、前記第２のワイヤレスインターフェースを通しての前記信号受信の品質の変化を決定することによって、前記第１のワイヤレスインターフェースを通しての前記信号受信の品質を推定するようにさらに構成されている請求項７記載の装置。
【請求項９】
前記処理システムは、前記第２のワイヤレスインターフェースを通して基準信号を前記他の装置と交換することによって、前記第１のワイヤレスインターフェースを通しての前記信号受信の品質を推定するようにさらに構成されている請求項７記載の装置。
【請求項１０】
前記処理システムは、
前記第２のワイヤレスインターフェースを通しての信号受信の品質に基づいて、前記第１のワイヤレスインターフェースを通しての信号受信の品質を推定するようにと、
前記推定した信号受信の品質に基づいて、前記第１の電力セーブモードから出すように構成されている請求項１記載の装置。
【請求項１１】
前記第１のワイヤレスインターフェースを前記第１の電力セーブモードに入れることは前記第１のワイヤレスインターフェースをオフにすることを含み、前記第１の電力セーブモードから出すことは前記第１のワイヤレスインターフェースをオンにすることを含む請求項１記載の装置。
【請求項１２】
ワイヤレス通信装置のための方法において、
前記ワイヤレス通信装置が、第１のカバレッジエリア内での通信をサポートするように構成されている第１のワイヤレスインターフェースを、前記第１のワイヤレスインターフェースの休止の時間期間に基づいて、第１の電力セーブモードに入れることと、
前記ワイヤレス通信装置が、前記第１のカバレッジエリアよりも大きい第２のカバレッジエリア内での通信をサポートするように構成されている第２のワイヤレスインターフェースを使用して、他の装置と通信することと、
前記ワイヤレス通信装置が、前記他の装置との通信に基づいて、前記第１の電力セーブモードから出すことと、
前記ワイヤレス通信装置が、前記第１の電力セーブモードに入れるという表示を前記他の装置に提供することとを含み、
前記第１のまたは前記第２のワイヤレスインターフェースのうちのいずれか１つを使用して、前記表示を提供する方法。
【請求項１３】
前記第１のワイヤレスインターフェースは第１の周波数に関係付けられ、前記第２のワイヤレスインターフェースは、前記第１の周波数よりも低い第２の周波数に関係付けられている請求項１２記載の方法。
【請求項１４】
前記ワイヤレス通信装置が、前記他の装置からデータを受信するために前記第１のワイヤレスインターフェースを使用するという表示を前記他の装置に提供するために、または、信号受信の品質の潜在的な改善の表示を受信するために、前記第２のワイヤレスインターフェースを使用することをさらに含む請求項１２記載の方法。
【請求項１５】
前記第１のワイヤレスインターフェースが前記第１の電力セーブモードにある間、前記ワイヤレス通信装置が、電力をセーブするために、前記第２のワイヤレスインターフェースを周期的に第２の電力セーブモードに入れることをさらに含む請求項１２記載の方法。
【請求項１６】
前記ワイヤレス通信装置が、前記他の装置との、インバンド通信とアウトバンド通信とのうちのいずれか１つをサポートすることをさらに含む請求項１２記載の方法。
【請求項１７】
前記ワイヤレス通信装置が、前記第１のワイヤレスインターフェースを通しての信号受信の品質に基づいて、前記第１の電力セーブモードに入れる請求項１２記載の方法。
【請求項１８】
前記ワイヤレス通信装置が、前記第２のワイヤレスインターフェースを通しての信号受信の品質に基づいて、前記第１のワイヤレスインターフェースを通しての前記信号受信の品質を推定することをさらに含む請求項１７記載の方法。
【請求項１９】
前記ワイヤレス通信装置が、前記第２のワイヤレスインターフェースを通しての前記信号受信の品質の変化を決定することによって、前記第１のワイヤレスインターフェースを通しての前記信号受信の品質を推定する請求項１８記載の方法。
【請求項２０】
前記ワイヤレス通信装置が、前記第２のワイヤレスインターフェースを通して基準信号を前記他の装置と交換することによって、前記第１のワイヤレスインターフェースを通しての前記信号受信の品質を推定する請求項１８記載の方法。
【請求項２１】
前記ワイヤレス通信装置が、前記第２のワイヤレスインターフェースを通しての信号受信の品質に基づいて、前記第１のワイヤレスインターフェースを通しての信号受信の品質を推定することをさらに含み、
前記第１の電力セーブモードから出すことは、前記推定した信号受信の品質に基づいている請求項１２記載の方法。
【請求項２２】
前記第１のワイヤレスインターフェースを前記第１の電力セーブモードに入れることは前記第１のワイヤレスインターフェースをオフにすることを含み、前記第１の電力セーブモードから出すことは前記第１のワイヤレスインターフェースをオンにすることを含む請求項１２記載の方法。
【請求項２３】
ワイヤレス通信のための装置において、
第１のカバレッジエリア内での通信をサポートするように構成されている第１のワイヤレスインターフェースを、前記第１のワイヤレスインターフェースの休止の時間期間に基づいて、第１の電力セーブモードに入れる手段と、
前記第１のカバレッジエリアよりも大きい第２のカバレッジエリア内での通信をサポートするように構成されている第２のワイヤレスインターフェースを使用して、他の装置と通信する手段と、
前記他の装置との通信に基づいて、前記第１の電力セーブモードから出す手段と、
前記第１の電力セーブモードに入れるという表示を前記他の装置に提供する手段とを具備し、
前記第１のまたは前記第２のワイヤレスインターフェースのうちのいずれか１つを使用して、前記表示を提供する装置。
【請求項２４】
前記第１のワイヤレスインターフェースは第１の周波数に関係付けられ、前記第２のワイヤレスインターフェースは、前記第１の周波数よりも低い第２の周波数に関係付けられている請求項２３記載の装置。
【請求項２５】
前記他の装置からデータを受信するために前記第１のワイヤレスインターフェースを使用するという表示を前記他の装置に提供するために、または、信号受信の品質の潜在的な改善の表示を受信するために、前記第２のワイヤレスインターフェースを使用する手段をさらに具備する請求項２３記載の装置。
【請求項２６】
前記第１のワイヤレスインターフェースが前記第１の電力セーブモードにある間、電力をセーブするために、前記第２のワイヤレスインターフェースを周期的に第２の電力セーブモードに入れる手段をさらに具備する請求項２３記載の装置。
【請求項２７】
前記他の装置との、インバンド通信とアウトバンド通信とのうちのいずれか１つをサポートする手段をさらに具備する請求項２３記載の装置。
【請求項２８】
前記第１のワイヤレスインターフェースを通しての信号受信の品質に基づいて、前記第１の電力セーブモードに入れる請求項２３記載の装置。
【請求項２９】
前記第２のワイヤレスインターフェースを通しての信号受信の品質に基づいて、前記第１のワイヤレスインターフェースを通しての前記信号受信の品質を推定する手段をさらに具備する請求項２８記載の装置。
【請求項３０】
前記第２のワイヤレスインターフェースを通しての前記信号受信の品質の変化を決定することによって、前記第１のワイヤレスインターフェースを通しての前記信号受信の品質を推定する請求項２９記載の装置。
【請求項３１】
前記第２のワイヤレスインターフェースを通して基準信号を前記他の装置と交換することによって、前記第１のワイヤレスインターフェースを通しての前記信号受信の品質を推定する請求項２９記載の装置。
【請求項３２】
前記第２のワイヤレスインターフェースを通しての信号受信の品質に基づいて、前記第１のワイヤレスインターフェースを通しての信号受信の品質を推定する手段をさらに具備し、
前記第１の電力セーブモードから出す手段は、前記推定した信号受信の品質に基づいて、前記第１の電力セーブモードから出す請求項２３記載の装置。
【請求項３３】
前記第１のワイヤレスインターフェースを前記第１の電力セーブモードに入れる手段は前記第１のワイヤレスインターフェースをオフにする手段を備え、前記第１の電力セーブモードから出す手段は前記第１のワイヤレスインターフェースをオンにする手段を備える請求項２３記載の装置。
【請求項３４】
通信装置のための機械読み取り可能記憶媒体において、
第１のカバレッジエリア内での通信をサポートするように構成されている第１のワイヤレスインターフェースを、前記第１のワイヤレスインターフェースの休止の時間期間に基づいて、第１の電力セーブモードに入れるための機械により実行可能な命令と、
前記第１のカバレッジエリアよりも大きい第２のカバレッジエリア内での通信をサポートするように構成されている第２のワイヤレスインターフェースを使用して、他の装置と通信するために前記機械により実行可能な命令と、
前記他の装置との通信に基づいて、前記第１の電力セーブモードから出すために前記機械により実行可能な命令と、
前記第１の電力セーブモードに入れるという表示を前記他の装置に提供するための前記機械により実行可能な命令とでエンコードされた機械読み取り可能記憶媒体を具備し、
前記第１のまたは前記第２のワイヤレスインターフェースのうちのいずれか１つを使用して、前記表示を提供する機械読み取り可能記憶媒体。
【請求項３５】
前記第１のワイヤレスインターフェースを前記第１の電力セーブモードに入れることは前記第１のワイヤレスインターフェースをオフにすることを含み、前記第１の電力セーブモードから出すことは前記第１のワイヤレスインターフェースをオンにすることを含む請求項３４記載の通信装置のための機械読み取り可能記憶媒体。
【請求項３６】
アクセスポイントにおいて、
１つ以上のアンテナと、
前記１つ以上のアンテナのうちの少なくとも１つを通して、第１のカバレッジエリア内での通信をサポートするように構成されている第１のワイヤレスインターフェースと、
前記１つ以上のアンテナのうちの少なくとも１つを通して、前記第１のカバレッジエリアよりも大きい第２のカバレッジエリア内での通信をサポートするように構成されている第２のワイヤレスインターフェースと、
前記第１のワイヤレスインターフェースの休止の時間期間に基づいて、前記第１のワイヤレスインターフェースを第１の電力セーブモードに入れるようにと、
前記第２のワイヤレスインターフェースを使用して、ワイヤレスノードと通信するようにと、
前記ワイヤレスノードとの通信に基づいて、前記第１の電力セーブモードから出すようにと、
前記第１の電力セーブモードに入れるという表示を前記ワイヤレスノードに提供するように構成されている処理システムとを具備し、
前記第１のまたは前記第２のワイヤレスインターフェースのうちのいずれか１つを使用して、前記表示を提供するアクセスポイント。
【請求項３７】
前記第１のワイヤレスインターフェースを前記第１の電力セーブモードに入れることは前記第１のワイヤレスインターフェースをオフにすることを含み、前記第１の電力セーブモードから出すことは前記第１のワイヤレスインターフェースをオンにすることを含む請求項３６記載のアクセスポイント。
【請求項３８】
局において、
第１のカバレッジエリア内での通信をサポートするように構成されている第１のワイヤレスインターフェースと、
前記第１のカバレッジエリアよりも大きい第２のカバレッジエリア内での通信をサポートするように構成されている第２のワイヤレスインターフェースと、
ユーザインターフェースと、
前記第１のワイヤレスインターフェースの休止の時間期間に基づいて、前記第１のワイヤレスインターフェースを第１の電力セーブモードに入れるようにと、
前記ユーザインターフェースからの入力に基づいて、前記第２のワイヤレスインターフェースを使用してワイヤレスノードと通信するようにと、
前記ワイヤレスノードとの通信に基づいて、前記第１の電力セーブモードから出すようにと、
前記第１の電力セーブモードに入れるという表示を前記ワイヤレスノードに提供するように構成されている処理システムとを具備し、
前記第１のまたは前記第２のワイヤレスインターフェースのうちのいずれか１つを使用して、前記表示を提供する局。
【請求項３９】
前記第１のワイヤレスインターフェースを前記第１の電力セーブモードに入れることは前記第１のワイヤレスインターフェースをオフにすることを含み、前記第１の電力セーブモードから出すことは前記第１のワイヤレスインターフェースをオンにすることを含む請求項３８記載の局。
【手続補正２】
【補正対象書類名】明細書
【補正対象項目名】００３７
【補正方法】変更
【補正の内容】
【００３７】
先の説明は、当業者が開示の全範囲を完全に理解できるように提供されている。ここで開示したさまざまな構成に対する改良は、当業者に容易に明らかになるであろう。したがって、特許請求の範囲は、ここで記述した開示のさまざまな態様に限定されることを意図しているものではなく、特許請求の範囲の文言と矛盾しない全範囲に一致させるべきである。要素への単数での参照は、単数であると特に述べられていない限り、「１つおよび１つのみ」を意味することを意図しているのではなく、むしろ「１つ以上の」を意味することを意図している。特に述べられていない限り、「いくつかの」という用語は、１つ以上のことを意味する。当業者に知られ、または後に知られることになる本開示全体に記述されているさまざまな態様の要素のすべての構成的および機能的な均等物は、ここで参照により明確に組み込まれ、特許請求の範囲によって含まれることとを意図している。さらに、ここで開示したものが、特許請求の範囲中に明示的に列挙されているか否かにかかわらず、公共に捧げられることを意図していない。どの請求項の要素も、要素が「する手段」というフレーズを用いて明示的に列挙されない限り、または方法の請求項のケースでは、要素が「するステップ」というフレーズを用いて列挙されない限り、３５ Ｕ．Ｓ．Ｃ．１１２条第６パラグラフの規定のもとで解釈されるべきではない。
以下に、本願出願の当初の特許請求の範囲に記載された発明を付記する。
［１］ワイヤレス通信のための装置において、
第１のカバレッジエリア内での通信をサポートするように構成されている第１のワイヤレスインターフェースをオフにするようにと、
前記第１のカバレッジエリアよりも大きい第２のカバレッジエリア内での通信をサポートするように構成されている第２のワイヤレスインターフェースを使用して、第２の装置と通信するようにと、
前記第２の装置との通信に基づいて、前記第１のワイヤレスインターフェースをオンにするように構成されている処理システムを具備する装置。
［２］前記第１のワイヤレスインターフェースは第１の周波数に関係付けられ、前記第２のワイヤレスは、前記第１の周波数よりも低い第２の周波数に関係付けられている［１］記載の装置。
［３］前記処理システムは、前記第１のワイヤレスインターフェースの休止の時間期間に基づいて、前記第１のワイヤレスインターフェースをオフにするようにさらに構成されている［１］記載の装置。
［４］前記処理システムは、前記第１のワイヤレスインターフェースをオフにするという表示を前記第２の装置に提供するようにさらに構成され、
前記処理システムは、前記表示を提供するために、前記第１のワイヤレスインターフェースまたは前記第２のワイヤレスインターフェースのうちのいずれか１つを使用するようにさらに構成されている［１］記載の装置。
［５］前記処理システムは、前記第２の装置からデータを受信するために前記第１のワイヤレスインターフェースを使用するという表示を前記第２の装置に提供するために、または、信号受信の品質の潜在的な改善の表示を受信するために、前記第２のワイヤレスインターフェースを使用するようにさらに構成されている［１］記載の装置。
［６］前記処理システムは、前記第１のワイヤレスインターフェースがオフにされている間、電力をセーブするために、前記第２のワイヤレスインターフェースを周期的にオフにするようにさらに構成されている［１］記載の装置。
［７］前記処理システムは、前記第２の装置との、インバンド通信とアウトバンド通信とのうちのいずれか１つをサポートするようにさらに構成されている［１］記載の装置。
［８］前記処理システムは、前記第１のワイヤレスインターフェースを通しての信号受信の品質に基づいて、前記第１のワイヤレスインターフェースをオフにするようにさらに構成されている［１］記載の装置。
［９］前記処理システムは、前記第２のワイヤレスインターフェースを通しての信号受信の品質に基づいて、前記第１のワイヤレスインターフェースを通しての前記信号受信の品質を推定するようにさらに構成されている［８］記載の装置。
［１０］前記処理システムは、前記第２のワイヤレスインターフェースを通しての前記信号受信の品質の変化を決定することによって、前記第１のワイヤレスインターフェースを通しての前記信号受信の品質を推定するようにさらに構成されている［９］記載の装置。
［１１］前記処理システムは、前記第２のワイヤレスインターフェースを通して基準信号を前記第２の装置と交換することによって、前記第１のワイヤレスインターフェースを通しての前記信号受信の品質を推定するようにさらに構成されている［９］記載の装置。
［１２］前記処理システムは、
前記第２のワイヤレスインターフェースを通しての信号受信に基づいて、前記第１のワイヤレスインターフェースを通しての信号受信の品質を推定するようにと、
前記推定した信号受信の品質に基づいて、前記第１のワイヤレスインターフェースをオンにするように構成されている［１］記載の装置。
［１３］ワイヤレス通信のための方法において、
第１のカバレッジエリア内での通信をサポートするように構成されている第１のワイヤレスインターフェースをオフにすることと、
前記第１のカバレッジエリアよりも大きい第２のカバレッジエリア内での通信をサポートするように構成されている第２のワイヤレスインターフェースを使用して、装置と通信することと、
前記第２の装置との通信に基づいて、前記第１のワイヤレスインターフェースをオンにすることとを含む方法。
［１４］前記第１のワイヤレスインターフェースは第１の周波数に関係付けられ、前記第２のワイヤレスは、前記第１の周波数よりも低い第２の周波数に関係付けられている［１３］記載の方法。
［１５］前記第１のワイヤレスインターフェースの休止の時間期間に基づいて、前記第１のワイヤレスインターフェースをオフにする［１３］記載の方法。
［１６］前記第１のワイヤレスインターフェースをオフにするという表示を前記装置に提供することをさらに含み、
前記第１のワイヤレスインターフェースまたは前記第２のワイヤレスインターフェースのうちのいずれか１つを使用して、前記表示を提供する［１３］記載の方法。
［１７］前記装置からデータを受信するために前記第１のワイヤレスインターフェースを使用するという表示を前記装置に提供するために、または、信号受信の品質の潜在的な改善の表示を受信するために、前記第２のワイヤレスインターフェースを使用することをさらに含む［１３］記載の方法。
［１８］前記第１のワイヤレスインターフェースがオフにされている間、電力をセーブするために、前記第２のワイヤレスインターフェースを周期的にオフにすることをさらに含む［１３］記載の方法。
［１９］前記装置との、インバンド通信とアウトバンド通信とのうちのいずれか１つをサポートすることをさらに含む［１３］記載の方法。
［２０］前記第１のワイヤレスインターフェースを通しての信号受信の品質に基づいて、前記第１のワイヤレスインターフェースをオフにする［１３］記載の方法。
［２１］前記第２のワイヤレスインターフェースを通しての信号受信の品質に基づいて、前記第１のワイヤレスインターフェースを通しての前記信号受信の品質を推定することをさらに含む［２０］記載の方法。
［２２］前記第２のワイヤレスインターフェースを通しての前記信号受信の品質の変化を決定することによって、前記第１のワイヤレスインターフェースを通しての前記信号受信の品質を推定する［２１］記載の方法。
［２３］前記第２のワイヤレスインターフェースを通して基準信号を前記第２の装置と交換することによって、前記第１のワイヤレスインターフェースを通しての前記信号受信の品質を推定する［２１］記載の方法。
［２４］前記第２のワイヤレスインターフェースを通しての信号受信に基づいて、前記第１のワイヤレスインターフェースを通しての信号受信の品質を推定することをさらに含み、
前記第１のワイヤレスインターフェースをオンにすることは、前記推定した信号受信の品質に基づいている［１３］記載の方法。
［２５］ワイヤレス通信のための装置において、
第１のカバレッジエリア内での通信をサポートするように構成されている第１のワイヤレスインターフェースをオフにする手段と、
前記第１のカバレッジエリアよりも大きい第２のカバレッジエリア内での通信をサポートするように構成されている第２のワイヤレスインターフェースを使用して、第２の装置と通信する手段と、
前記第２の装置との通信に基づいて、前記第１のワイヤレスインターフェースをオンにする手段とを具備する装置。
［２６］前記第１のワイヤレスインターフェースは第１の周波数に関係付けられ、前記第２のワイヤレスは、前記第１の周波数よりも低い第２の周波数に関係付けられている［２５］記載の装置。
［２７］前記第１のワイヤレスインターフェースの休止の時間期間に基づいて、前記第１のワイヤレスインターフェースをオフにする［２５］記載の装置。
［２８］前記第１のワイヤレスインターフェースをオフにするという表示を前記装置に提供する手段をさらに具備し、
前記第１のワイヤレスインターフェースまたは前記第２のワイヤレスインターフェースのうちのいずれか１つを使用して、前記表示を提供する［２５］記載の装置。
［２９］前記装置からデータを受信するために前記第１のワイヤレスインターフェースを使用するという表示を前記装置に提供するために、または、信号受信の品質の潜在的な改善の表示を受信するために、前記第２のワイヤレスインターフェースを使用する手段をさらに具備する［２５］記載の装置。
［３０］前記第１のワイヤレスインターフェースがオフにされている間、電力をセーブするために、前記第２のワイヤレスインターフェースを周期的にオフにする手段をさらに具備する［２５］記載の装置。
［３１］前記装置との、インバンド通信とアウトバンド通信とのうちのいずれか１つをサポートする手段をさらに具備する［２５］記載の装置。
［３２］前記第１のワイヤレスインターフェースを通しての信号受信の品質に基づいて、前記第１のワイヤレスインターフェースをオフにする［２５］記載の装置。
［３３］前記第２のワイヤレスインターフェースを通しての信号受信の品質に基づいて、前記第１のワイヤレスインターフェースを通しての前記信号受信の品質を推定する手段をさらに具備する［３２］記載の装置。
［３４］前記第２のワイヤレスインターフェースを通しての前記信号受信の品質の変化を決定することによって、前記第１のワイヤレスインターフェースを通しての前記信号受信の品質を推定する［３３］記載の装置。
［３５］前記第２のワイヤレスインターフェースを通して基準信号を前記第２の装置と交換することによって、前記第１のワイヤレスインターフェースを通しての前記信号受信の品質を推定する［３３］記載の装置。
［３６］前記第２のワイヤレスインターフェースを通しての信号受信に基づいて、前記第１のワイヤレスインターフェースを通しての信号受信の品質を推定する手段をさらに具備し、
前記第１のワイヤレスインターフェースをオンにする手段は、前記推定した信号受信の品質に基づいて、前記第１のワイヤレスインターフェースをオンにする［２５］記載の装置。
［３７］通信のためのコンピュータプログラムプロダクトにおいて、
第１のカバレッジエリア内での通信をサポートするように構成されている第１のワイヤレスインターフェースをオフにするために実行可能な命令と、
前記第１のカバレッジエリアよりも大きい第２のカバレッジエリア内での通信をサポートするように構成されている第２のワイヤレスインターフェースを使用して、第２の装置と通信するために実行可能な命令と、
前記第２の装置との通信に基づいて、前記第１のワイヤレスインターフェースをオンにするために実行可能な命令とを含む機械読み取り可能媒体を具備するコンピュータプログラムプロダクト。
［３８］アクセスポイントにおいて、
１つ以上のアンテナと、
前記１つ以上のアンテナのうちの少なくとも１つを通して、第１のカバレッジエリア内での通信をサポートするように構成されている第１のワイヤレスインターフェースと、
前記１つ以上のアンテナのうちの少なくとも１つを通して、前記第１のカバレッジエリアよりも大きい第２のカバレッジエリア内での通信をサポートするように構成されている第２のワイヤレスインターフェースと、
前記第１のワイヤレスインターフェースをオフにするようにと、
前記第２のワイヤレスインターフェースを使用して、第２の装置と通信するようにと、
前記第２の装置との通信に基づいて、前記第１のワイヤレスインターフェースをオンにするように構成されている処理システムとを具備するアクセスポイント。
［３９］局において、
第１のカバレッジエリア内での通信をサポートするように構成されている第１のワイヤレスインターフェースと、
前記第１のカバレッジエリアよりも大きい第２のカバレッジエリア内での通信をサポートするように構成されている第２のワイヤレスインターフェースと、
ユーザインターフェースと、
前記第１のワイヤレスインターフェースをオフにするようにと、
前記ユーザインターフェースからの入力に基づいて、前記第２のワイヤレスインターフェースを使用して第２の装置と通信するようにと、
前記第２の装置との通信に基づいて、前記第１のワイヤレスインターフェースをオンにするように構成されている処理システムとを具備する局。
【外国語明細書】
2014017828000001.pdf